(57)【要約】【課題】供給側インクフィルム巻芯および巻取り側インクフィルム巻芯をカセットに収容して機器本体にセットするものにおいて、インクフィルムをセットする際、インクフィルム巻芯へのギヤフランジの装着の方向性に加えて、機器本体への装着の方向性を注意しなければならない。【解決手段】樹脂製管よりなる供給側インクフィルム巻芯１１と巻取り側インクフィルム巻芯１２の両端部にフランジ部１１ａ、１１ｂ、１２ａ、１２ｂを一体に形成し、各フランジ部にそれぞれ直径の異なる支持丸棒を設け、機器本体１０に各支持丸棒に相当する軸受け部１０ａ〜１０ｄを設けた構成の画像記録装置とし、カセットを用いることなく、また、方向性を間違うことなく、インクフィルムを機器本体に一動作でセットすることを可能にする。【選択図】図１
2004255887.tif 000002
【特許請求の範囲】
【請求項１】
印字情報に基づき発熱体を発熱させ、発熱体に接触するインクフィルムを溶融、若しくは昇華させて印字用紙に転写、記録する画像記録装置であって、供給側インクフィルム巻芯と巻取り側インクフィルム巻芯のそれぞれを樹脂製管によって形成するとともに、前記供給側インクフィルム巻芯と巻取り側インクフィルム巻芯のそれぞれの両端部にフランジ部を一体に形成し、前記各フランジ部にそれぞれ直径の異なる支持丸棒を設けるとともに一部にはギヤを設け、
機器本体に前記各支持丸棒に相当する軸受け部を設けたことを特徴とする画像記録装置。
【発明の詳細な説明】
【技術分野】
【０００１】
本発明は、ファクシミリなどのインクフィルムを用いる画像記録装置に関する。
【背景技術】
【０００２】
一般に、ファクシミリなどの画像記録装置は、その印字方式としてインクフィルムを利用した熱転写方式が多く用いられており、その熱転写装置は印字手段としてサーマルヘッドを用い、このサーマルヘッドの前後に、ロール状に巻きつけているインクフィルムを用紙の搬送に伴って供給する供給側インクフィルム巻芯と、印字後に使用したインクフィルムをロール状に巻き取るためのインクフィルム巻芯を配置している。
【０００３】
図３（ａ）は、前記インクフィルムを用いる画像記録装置の斜視図、図３（ｂ）は、インクフィルムカセットの分解斜視図である。
【０００４】
図３（ａ）に示すように、前記画像記録装置は、機器本体１と、これに着脱自在なインクフィルムカセット２によって構成されている。図３（ｂ）に示すように、前記インクフィルムカセット２は、カセット本体３と、前記カセット本体３に回転自在に、かつ、着脱自在に設けられる供給側インクフィルム巻芯４と、同じくカセット本体３に回転自在に、かつ、着脱自在に設けられる巻取り側インクフィルム巻芯５と、前記供給側インクフィルム巻芯４および巻取り側インクフィルム巻芯５に巻きつけられて張架されるインクフィルム６より構成されている。
【０００５】
さらに詳しく説明すると、前記供給側インクフィルム巻芯４および巻取り側インクフィルム巻芯５は、通常、紙段ボールを材料とした紙管よりなり、その供給側インクフィルム巻芯４にはこれから印字されるための新規なインクフィルム６の一端が、また、巻取り側インクフィルム巻芯５には印字後のインクフィルム６の他端が貼りつけられている。前記供給側インクフィルム巻芯４および巻取り側インクフィルム巻芯５両方の紙管は、通常同一サイズで、かつ、その端部に装置内で巻取り駆動されるためのギヤフランジ７が挿入され、また、回転を伝えるための切りこみ８が形成されている。
【０００６】
前記インクフィルム６は消耗品であるため、ユーザーは使用後、カセット本体３に対して、新しいインクフィルム６を前記供給側インクフィルム巻芯４および巻取り側インクフィルム巻芯５毎に交換しなくてはならない。この場合、前記供給側インクフィルム巻芯４および巻取り側インクフィルム巻芯５の紙管にギヤフランジ７を挿入し直すことになるが、巻取り側駆動用のギヤフランジ７や、単に支持するための供給側のギヤフランジ７など、方向性を注意して装着する必要があり、かつ、機器本体１への装着の簡便性のため、多くは供給側インクフィルム巻芯４および巻取り側インクフィルム巻芯５を一体に支持することができるカセット本体３に、供給側インクフィルム巻芯４および巻取り側インクフィルム巻芯５とを装着する必要がある。
【０００７】
ところで、カセット本体３は機器本体１に対して一動作で装着可能であるが、機器本体１の構造上、巻取り側と供給側との方向が決まっていることや、インクフィルム６自体、インク層が片面のみに塗布されていることからの上下の方向性も決まっており、ユーザーはカセット本体３を、その前後、上下のある一方向にしか機器本体１に装着することができない構造となっている。通常、前記カセット本体３の誤装着防止を実現するために、従来の装置では、前記カセット本体３に、前後、上下の誤装着時に装置に対して当たる形状の当接片９を有しており、ユーザーがたとえ誤装着しても、機器本体１に対してカセット本体３が浮きあがるなどの状態で注意を喚起させる手段をとっていた。
【０００８】
一方、装置のコスト削減のために前記カセット本体３を廃止して、供給側インクフィルム巻芯４および巻取り側インクフィルム巻芯５のみで装置に装着するタイプがあり、その場合には、供給側インクフィルム巻芯４および巻取り側インクフィルム巻芯５の誤装着を防ぐための形状がとれないことになり、前記供給側インクフィルム巻芯４および巻取り側インクフィルム巻芯５の前後、上下の誤装着が発生することになる。この場合、供給側インクフィルム巻芯４および巻取り側インクフィルム巻芯５の紙管に挿入する４ケのギヤフランジ７に、前記カセット本体３と同様な形状で、装置に一方向しか装着できない構造を各々とることはできるが、供給側インクフィルム巻芯４および巻取り側インクフィルム巻芯５の紙管に対して、各々の方向性を決めて装着しなければならないという問題点は依然残ったままとなる。
【０００９】
なお、特許文献１には、スプールの逆向きの装着を防止する構成として、供給スプール２４ａの第１の端部６０と第２の端部６２の直径が異なるようにした例（図６）、また巻き取りスプール２４ｂの第１の端部６４と第２の端部６６の直径が異なるようにした例（図７）が開示されております。
【特許文献１】特開平６−２１０９１８号公報
【発明の開示】
【発明が解決しようとする課題】
【００１０】
以上のように従来の熱転写方式の画像記録装置においては、供給側インクフィルム巻芯４および巻取り側インクフィルム巻芯５を収容するカセット本体３を使う使わないの関係なく、機器本体１にインクフィルムをセットする際、供給側インクフィルム巻芯４および巻取り側インクフィルム巻芯５の紙管へのギヤフランジ７の装着の方向性に加えて、機器本体１への装着の方向性の注意など、煩雑な作業をユーザーにさせるという問題点を有していた。
【００１１】
本発明は、前記従来の問題に留意し、ユーザーがインクフィルムを交換する際に、供給側インクフィルム巻芯および巻取り側インクフィルム巻芯の誤装着を防ぎ、かつ、一動作で簡便に機器本体に装着可能となる画像記録装置を提供することを目的とする。
【課題を解決するための手段】
【００１２】
前記目的を達成するために本発明は、供給側インクフィルム巻芯と巻取り側インクフィルム巻芯のそれぞれを樹脂製管によって形成するとともに、前記供給側インクフィルム巻芯と巻取り側インクフィルム巻芯のそれぞれの両端部にフランジ部を一体に形成し、前記各フランジ部にそれぞれ直径の異なる支持丸棒を設けるとともに一部にはギヤを設け、機器本体に前記各支持丸棒に相当する軸受け部を設けた画像記録装置とする。
【００１３】
本発明によれば、機器本体にインクフィルムを装着する際、供給側インクフィルム巻芯と巻取り側インクフィルム巻芯が一方向しか装着ができず、誤装着がなくなるとともに、インクフィルムのみ機器本体に装着すればよいことから、ユーザーに対して煩雑な作業を必要とせず、簡単に装着可能となる。
【発明の効果】
【００１４】
以上の説明より明らかなように、本発明はインクフィルムを用いる画像記録装置において、供給側インクフィルム巻芯と巻取り側インクフィルム巻芯のそれぞれを樹脂製管によって形成するとともに、前記供給側インクフィルム巻芯と巻取り側インクフィルム巻芯のそれぞれの両端部にフランジ部を一体に形成し、前記各フランジ部にそれぞれ直径の異なる支持丸棒を設けるとともに一部にはギヤを設け、機器本体に前記各支持丸棒に相当する軸受け部を設けた構成としたので、紙管の巻芯にギヤフランジを方向性に注意して装着し
たり、また、インクフィル巻芯をさらに方向に注意してインクフィルムカセットに装着したり、インクフィルムカセットを機器本体に方向性を注意して装着することなしに、インクフィルムを巻芯とともに機器本体に一動作で装着することが可能であり、しかも誤装着の際には、機器本体から巻芯が浮きあがるなどの明らかに誤装着が分かる形態となるものであり、その効果は大きい。
【発明を実施するための最良の形態】
【００１５】
本発明の請求項１に記載の発明は、印字情報に基づき発熱体を発熱させ、発熱体に接触するインクフィルムを溶融、若しくは昇華させて印字用紙に転写、記録する画像記録装置であって、供給側インクフィルム巻芯と巻取り側インクフィルム巻芯のそれぞれを樹脂製管によって形成するとともに、前記供給側インクフィルム巻芯と巻取り側インクフィルム巻芯のそれぞれの両端部にフランジ部を一体に形成し、前記各フランジ部にそれぞれ直径の異なる支持丸棒を設けるとともに一部にはギヤを設け、機器本体に前記各支持丸棒に相当する軸受け部を構成した画像記録装置であり、記録装置に対して供給側ロールおよび巻取り側ロールを一体に支持するインクフィルムカセットやインクフィルムロール紙管に挿入、装着するギヤフランジなしで、上下、左右の異なる誤装着をユーザーにさせないという作用を有する。
【００１６】
以下に、本発明の実施の形態を図面を参照して詳細に説明する。
【００１７】
（実施の形態１）
図１（ａ）は、本発明の実施の形態１の画像記録装置の斜視図、図１（ｂ）は、そのインクフィルムと巻芯部の斜視図、図２は、インクフィルムを装着した状態の画像記録装置の斜視図である。
【００１８】
図１〜図２に示すように、画像記録装置は、機器本体１０に着脱自在な供給側インクフィルム巻芯１１および巻取り側インクフィルム巻芯１２を備え、前記供給側インクフィルム巻芯１１および巻取り側インクフィルム巻芯１２にはインクフィルム１３が巻きつけられて張架されるようになっている。
【００１９】
さらに詳しく説明すると、前記供給側インクフィルム巻芯１１および巻取り側インクフィルム巻芯１２は、樹脂製管よりなり、その供給側インクフィルム巻芯１１にはこれから印字されるための新規なインクフィルム１３の一端が、また、巻取り側インクフィルム巻芯１２には印字後のインクフィルム１３の他端が貼りつけられている。
【００２０】
前記供給側インクフィルム巻芯１１の両端には、フランジ部１１ａと１１ｂが一体に形成されており、巻取り側インクフィルム巻芯１２の両端にはフランジ部１２ａと１２ｂが一体に形成されている。また、供給側インクフィルム巻芯１１のフランジ部１１ａは単に機器本体１０に支持される支持丸棒としており、フランジ部１１ｂには、インクフィルム１３が巻き取られる際にインクフィルム１３に対してテンションを与えインクフィルムの走行性をよくするために負荷をかけるバックテンションギヤ１１ｃを設け、かつ、機器本体１０に支持されるための支持丸棒としている。一方、巻取り側インクフィルム巻芯１２のフランジ部１２ａにはインクフィルム１３を巻き取るために機器本体１０から駆動を伝えられるためのギヤ１２ｃを設け、かつ、機器本体１０に支持されるための支持丸棒としてあり、フランジ部１２ｂは単に機器本体１０に支持される支持丸棒としている。前記フランジ部１１ａ、１１ｂ、１２ａ、１２ｂの支持丸棒は、各々その直径が異なっており、機器本体１０の軸受け部１０ａ、１０ｂ、１０ｃ、１０ｄもそれに合わせた形状となっている。
【００２１】
上記構成において、ユーザーがインクフィルムを装着する際、機器本体１０の一部に表
示された取付け方向にそって装着することになり、通常、用いられる別部品であるギヤフランジの紙管への装着や、装着後にさらにインクフィルムカセットに装着などの作業は一切不要である。また、この実施の形態１において、供給側インクフィルム巻芯１１および巻取り側インクフィルム巻芯１２を決められた方向以外、たとえば前後を誤って装着をした場合を考えると、機器本体１０の軸受け部１０ｃには、フランジ部１１ｂが相当する。このフランジ部１１ｂの支持丸棒の径はフランジ部１２ａの支持丸棒の径より大きく、自ずと軸受け部１０ｃには入らず、図２のように巻取り側インクフィルム巻芯１２が浮く形となる。また、供給側インクフィルム巻芯１１および巻取り側インクフィルム巻芯１２を上下を逆に装着した場合には、機器本体１０の軸受け部１０ｄにはフランジ部１２ｂが相当し、この場合もフランジ部１２ｂの支持丸棒は支持丸棒１２ａの径より大きく、やはり、軸受け部１０ｃには入らないことになり、すなわち、図２のように巻取り側インクフィルム巻芯１２が浮くことになる。このようにインクフィルム巻芯が浮いた場合には、目視により誤装着が明確に分かるとともに、機器本体１０の蓋部１４が完全に閉まらないことになり、かつ、蓋部１４が閉まらないことをスイッチやセンサで検知することから、機器本体１０が動作しない状態を作り、かつ、ユーザーに表示装置や音で誤装着を知らせることができる。
【産業上の利用可能性】
【００２２】
本発明はファクシミリなどのインクフィルムを用いる画像記録装置に関するものであり、紙管の巻芯にギヤフランジを方向性に注意して装着したり、また、インクフィル巻芯をさらに方向に注意してインクフィルムカセットに装着したり、インクフィルムカセットを機器本体に方向性を注意して装着することなしに、インクフィルムを巻芯とともに機器本体に一動作で装着することが可能であり、しかも誤装着の際には、機器本体から巻芯が浮きあがるなどの明らかに誤装着が分かる形態となる。
【図面の簡単な説明】
【００２３】
【図１】（ａ）本発明の実施の形態１の画像記録装置の斜視図、（ｂ）本発明の実施の形態１の画像記録装置のインクフィルムと巻芯部の斜視図
【図２】本発明の実施の形態１のインクフィルムを装着した状態の画像記録装置の斜視図
【図３】（ａ）従来のインクフィルムを用いる画像記録装置の斜視図、（ｂ）従来の画像記録装置のインクフィルムカセットの分解斜視図
【符号の説明】
【００２４】
１    機器本体
１０ａ    軸受け部
１０ｂ    軸受け部
１０ｃ    軸受け部
１０ｄ    軸受け部
１１    供給側インクフィルム巻芯
１１ａ    フランジ部
１１ｂ    フランジ部
１１ｃ    バックテンションギヤ
１２    巻取り側インクフィルム巻芯
１２ａ    フランジ部
１２ｂ    フランジ部
１２ｃ    ギヤ
１３    インクフィルム
１４    蓋部
【図１】
2004255887.tif 000003
【図２】
2004255887.tif 000004
【図３】
2004255887.tif 000005